(57)【要約】【課題】人と植物双方にとって適切な給水時間が通知可能な給水時間通知装置を提供すること。【解決手段】給水時間通知装置１は、植物への給水時間を通知する給水時間通知装置１であって、給水者の予定を入力可能な給水者情報入力部１ａと、植物の識別情報を入力可能な植物情報入力部１ｂと、植物情報入力部に入力された情報を基に、データを取得する植物情報取得部１ｃと、給水者の予定とデータとに基づいて、給水に適切な時間を決定する適切時間決定部１１ｅと、給水に適切な時間を通知する通知部１ｆと、を備える。【選択図】図１
2016082892.tif 000002
【特許請求の範囲】
【請求項１】
植物への給水時間を通知する給水時間通知装置であって、
給水者の予定を入力可能な給水者情報入力部と、
植物の識別情報を入力可能な植物情報入力部と、
前記植物情報入力部に入力された情報を基に、データを取得する植物情報取得部と、
前記給水者の予定と前記データとに基づいて、給水に適切な時間を決定する適切時間決定部と、
前記給水に適切な時間を通知する通知部と、を備えることを特徴とする給水時間通知装置。
【請求項２】
前記適切時間決定部は、前記給水者情報入力部に入力された給水者の予定のうち、給水不可能である時間を除いて、給水に適切な時間を決定することを特徴とする請求項１に記載の給水時間通知装置。
【請求項３】
前記通知部が、前記給水に適切な時間を表示する表示部を備えることを特徴とする請求項１または２に記載の給水時間通知装置。
【請求項４】
前記通知部が、前記給水に適切な時間を他の装置へ送信する通信部を備えることを特徴とする、請求項１〜３のいずれか一項に記載の給水時間通知装置。
【発明の詳細な説明】
【技術分野】
【０００１】
本発明は、給水時間通知装置に関する。
【背景技術】
【０００２】
知識不足や多忙といった理由で、植物に適切な時間に給水することは難しい。その一方で、給水を適切に行うと植物の育成の度合いを向上させることができるため、例えば経験の浅いガーデニング初心者や、仕事をしており自分の時間が少ないような人でも、適切な時間に植物への給水を可能にする装置や手段に関心が高まってきている。
【０００３】
例えば、特許文献１では、水位が下がったときに永久磁石とリードスイッチが接近し回路が働き、光、音、音声等の手段で人に知らせる装置が提案されている。
【先行技術文献】
【特許文献】
【０００４】
【特許文献１】特開平１１−１９２０３０号公報
【発明の概要】
【発明が解決しようとする課題】
【０００５】
しかしながら、特許文献１に開示される技術は、あくまで水が減ったという事実を知らせる技術であるため、人と植物双方にとって適切な給水時間を通知できていないという課題があった。
【０００６】
本発明は係る事情に鑑みてなされたものであり、人と植物双方にとって適切な給水時間が通知可能な給水時間通知装置を提供することを目的とする。
【課題を解決するための手段】
【０００７】
上記課題を解決するため、本発明に係る植物への給水時間を通知する給水時間通知装置は、給水者の予定を入力可能な給水者情報入力部と、植物の識別情報を入力可能な植物情報入力部と、前記植物情報入力部に入力された情報を基に、データを取得する植物情報取得部と、前記給水者の予定と前記データとに基づいて、給水に適切な時間を決定する適切時間決定部と、前記給水に適切な時間を通知する通知部と、を備えることを特徴とする。
【０００８】
本発明によれば、給水者の予定と植物の識別情報を基に取得したデータとに基づいて、給水に適切な時間を決定している。そのため、人と植物の双方にとって給水に適切な時間を通知することができる。
【０００９】
好ましくは、適切時間決定部は、給水者情報入力部に入力された給水者の予定のうち、給水不可能である時間を除いて、給水に適切な時間を決定するとよい。この場合、給水者が給水不可能である時間を除いて、給水に最適な時間が決定されるため、適切時間決定部が決定する給水に適切な時間の精度を向上することができる。
【００１０】
好ましくは、通知部が、給水に適切な時間を表示する表示部を備えるとよい。この場合、給水に適切な時間を表示する機能が給水時間通知装置と一体化しているため、給水者に適切な時間を簡易に通知することができる。
【００１１】
好ましくは、通知部が、給水に適切な時間を送信する通信部を備えるとよい。この場合、給水者が給水時間通知装置から離れた場所にいても、給水に適切な時間を通知することができ、利便性が向上する。
【発明の効果】
【００１２】
本発明によれば、人と植物双方にとって適切な給水時間が通知可能な給水時間通知装置を得ることができる。
【図面の簡単な説明】
【００１３】
【図１】本発明の実施形態１に係る給水時間通知装置を示すブロック図である。
【図２】記憶部に保存されている給水に適切な時間を決定するのに必要なデータを示すイメージ図である。
【図３】表示部が表示する給水に適切な時間の一例を示したイメージ図である。
【図４】本発明の実施形態１に係る給水時間通知装置の処理動作を示すフローチャートである。
【図５】本発明の実施形態２に係る給水時間通知装置を示すブロック図である。
【発明を実施するための形態】
【００１４】
本発明を実施するための形態（実施形態）につき、図面を参照しつつ詳細に説明する。本発明は以下の実施形態に限定されるものではない。また以下に記載した構成要素には、当業者が容易に想定できるもの、実質的に同一のものが含まれる。さらに以下に記載した構成要素は、適宜組み合わせることができる。また、本発明の要旨を逸脱しない範囲で構成要素の種々の省略、置換又は変更を行うことができる。なお、説明において、同一要素又は同一機能を有する要素には、同一符号を用いることとし、重複する説明は省略する。
【００１５】
（実施形態１）
まず、図１を参照して、本発明の実施形態１に係る給水時間通知装置１の構成ならびに処理動作について説明する。図１は、本発明の実施形態１に係る給水時間通知装置を示すブロック図である。給水時間通知装置１は、ハードウェア的にはコンピュータのＣＰＵ（Ｃｅｎｔｒａｌ  Ｐｒｏｃｅｓｓｉｎｇ  Ｕｎｉｔ）をはじめとする素子で実現でき、ソフトウェア的にはデータ読み出し機能のあるプログラム等によって実現されるが、以下に説明する図１等ではそれらの連携によって実現される機能ブロックを描いている。したがって、これらの機能ブロックはハードウェア、ソフトウェアの組み合わせによって様々なかたちで実現できる。ここでは、各機能ブロックの構成を中心として説明する。具体的な処理内容については、構成の説明後に詳述する。
【００１６】
給水時間通知装置１は、図１に示すように、給水者情報入力部１ａと、植物情報入力部１ｂと、植物情報取得部１ｃと、記憶部１ｄと、演算部１ｅと、通知部１ｆと、を備えている。本実施形態に係る給水時間通知装置１は、給水者の予定と、植物情報入力部に入力された植物の識別情報を基に取得したデータとに基づいて、給水に適切な時間を決定することを主目的としている。
【００１７】
給水者情報入力部１ａは、給水者の予定を入力するための機能を有する。具体的には、給水者情報入力部１ａはタッチパネルから構成され、タッチパネルは、液晶パネル等で構成される表示機能と、各操作入力を行う入力機能と、を有する。つまり、給水者情報入力部１ａは、表示機能により、給水者に対して情報を表示するとともに、入力機能により、給水者の操作による入力データを受け付ける役割を果たしている。例えば、給水者は、給水者情報入力部１ａの画面上に時間ごとに表示された「〇」、「△」、「×」から給水が可能か否かを判断し、これらの符号のいずれかを選択して画面をタッチすることにより給水者の予定が給水者情報入力部１ａに入力されることとなる。このとき、各符号には、「〇」が１点、「△」が０．５点、「×」が０点のように点数を関連付けておく。そして、給水者情報入力部１ａは、入力された符号に応じた点数を後述する演算部１ｅに出力し、後述する演算部１ｅによって後述する記憶部１ｄに時間ごとに保存される。ここで、給水者情報入力部１ａは、１か月や１週間ごと、または曜日ごとの給水者の予定をまとめて入力できるように構成されていてもよく、給水時間を知りたい日ごとに都合のよい時間を入力できるように構成されていてもよい。また、本実施形態では、給水者情報入力部１ａは、タッチパネルから構成されていると説明したがこれに限られることなく、給水者の予定が入力可能な媒体であればよく、例えばキーボードや押しボタンなどから構成されていてもよい。さらに、給水者の予定を表す符号としては「〇」、「△」、「×」の３種類に限られることなく、「◎」などの符号を用いてもよい。
【００１８】
植物情報入力部１ｂは、植物の識別情報を入力するための機能を有する。具体的には、植物情報入力部１ｂはタッチパネルから構成され、タッチパネルは、液晶パネル等で構成される表示機能と、各操作入力を行う入力機能と、を有する。つまり、植物情報入力部１ｂは、表示機能により、給水者に対して情報を表示するとともに、入力機能により、給水者の操作による入力データを受け付ける役割を果たしている。例えば、給水者は、植物情報入力部１ｂの画面上に表示された植物の識別情報から給水を行う植物を選択し、画面をタッチすることにより植物の識別情報が植物情報入力部１ｂに入力されることとなる。そして、植物情報入力部１ｂは、入力された植物の識別情報を後述する演算部１ｅに出力し、後述する演算部１ｅによって後述する記憶部１ｄに保存される。植物の識別情報としては、例えば植物の名称が挙げられる。なお、本実施形態では、植物情報入力部１ｂは、タッチパネルから構成されていると説明したがこれに限られることなく、植物の識別情報が入力可能な媒体であればよく、例えばキーボードなどから構成されていてもよい。また、本実施形態では、植物情報入力部１ｂの画面上に表示された植物の識別情報から給水を行う植物を選択する例を用いて説明したがこれに限られることなく、給水者が植物の識別情報である植物の名称を直接入力できるように構成してもよい。またさらには、植物情報入力部１ｂと給水者情報入力部１ａがともにタッチパネルから構成される場合、植物情報入力部１ｂと給水者情報入力部１ａが一体的に構成されていてもよい。
【００１９】
植物情報取得部１ｃは、植物情報入力部１ｂに入力された植物の識別情報を基に、データを取得する機能を有する。具体的には、植物情報取得部１ｃは、後述する演算部１ｅが取得した植物の識別情報を用いて、データベース（図示しない）などにアクセスして当該植物の識別情報に対応したデータを取得する。データとしては、給水時間を推測したい植物に関する気象条件の点数や土の乾き具合の点数などが挙げられる。そして、植物情報取得部１ｃは、取得したデータを後述する演算部１ｅに出力し、後述する演算部１ｅによって後述する記憶部１ｄに保存される。データベースの設置場所としては、例えば、クラウドネットワーク上やネットワークサーバ上が挙げられる。したがって、植物情報取得部１ｃの機能は、例えば無線ＬＡＮ（Ｌｏｃａｌ  Ａｒｅａ  Ｎｅｔｗｏｒｋ）などを介して実現する。なお、本実施形態では、植物情報取得部１ｃが取得するデータは、データベースに保存されていると説明したが、これに限られることなく、後述する記憶部１ｃの記憶領域に保存されていてもよい。ただし、植物情報取得部１ｃが取得するデータが後述する記憶部１ｃの記憶領域に保存されている場合、植物情報取得部１ｃは、後述する演算部１ｅの一部がその機能を構成していてもよい。
【００２０】
記憶部１ｄは、給水に適切な時間を通知するために必要なデータを保存するための記憶領域である。具体的には、記憶部１ｄは、給水者情報入力部１ａに入力された時間ごとの給水者の予定の点数と、植物情報入力部１ｂに入力された植物の識別情報と、植物情報取得部１ｃによって取得されたデータ（気象条件の点数や土の乾き具合の点数）を保存する役割を担っている。この記憶部１ｄとしては、フラッシュメモリ等が挙げられる。
【００２１】
ここで、図２を参照して、記憶部１ｄの記憶領域に保存されている、給水に適切な時間を決定するのに必要なデータについて詳細に説明する。図２は、記憶部に保存されている給水に適切な時間を決定するのに必要なデータを示すイメージ図である。給水時間通知装置１は、給水に適切な時間を、給水者の予定と、植物情報入力部に入力された植物の識別情報を基に取得したデータに基づいて決定している。
【００２２】
給水者の予定は、図２に示されるように、時間ごとに給水者情報入力部１ａに入力された符号に対応した点数が保存されている。本実施形態では、人の活動時間帯である５時から２４時までの間で１時間ごとに時間を区切り、給水者の予定の点数が保存されている。次に、気象条件は、図２に示されるように、時間ごとに植物情報取得部１ｃによって取得した気象条件の点数が保存されている。具体的には、給水時間を推測したい植物に関して、栽培している植物を取り巻く季節や時間帯に応じて決定した点数が保存されている。例えば、屋外で栽培しているニチニチソウに関して、夏の晴れた昼間に植物に給水すると根が煮えてしまうため、夏の晴れた昼間は低い点数とし、晩秋の夕方や夜に植物に給水すると根が凍って枯れてしまうため、晩秋の夕方や夜は低い点数とするなど、植物を取り巻く季節や時間帯を考慮して気象条件の点数付けが行われる。これにより、決定する給水に適切な時間の精度が向上する。次に、土の乾き具合は、図２に示されるように、時間ごとに、植物情報取得部１ｃによって取得した土の乾き具合の点数が保存されている。具体的には、給水時間を推測したい植物に関して、給水候補日の気象条件に応じた土の乾き具合の推測により決定した点数が保存されている。例えば、屋外で栽培しているジンチョウゲに関して、雨の降る時間帯は土が湿るため、給水が不要なので低い点数とし、晴れて気温の高い時間帯は土が乾きやすいため、給水が必要なので高い点数とするなど、給水候補日の気象条件を考慮して、土の乾き具合の点数付けが行われる。これにより、決定する給水に適切な時間の精度が向上する。本実施形態では、記憶部１ｄの記憶領域には、図２に示されるように、給水者の予定および植物情報入力部に入力された植物の識別情報を基に取得したデータに加えて、対人給水環境適切度が保存されている。対人給水環境適切度は、給水者が身体的な負担を感じることなく給水を行えるかの指標である。例えば、９月の気温２０℃の晴れの日は、屋外で身体的に負担を感じず快適に給水が行えることから点数を高くし、７月の気温３０℃の晴れの日は、暑さから身体に負担を感じることから点数を低くするなど、人を取り巻く気象状況を考慮して対人給水環境適切度の点数付けが行われる。以上のように、記憶部１ｄの記憶領域に保存されている、給水に適切な時間を決定するのに必要なデータは、人に関する指標として、給水者の予定と、対人給水環境適切度があり、植物に関する指標として、気象条件、土の乾き具合がある。つまり、給水時間通知装置１は、給水に適切な時間を、人に関する指標と、植物に関する指標を用いて決定していることとなる。なお、対人給水環境適切度、気象条件、土の乾き具合の点数は、予め算出されている値を用いることができる。予め算出されている値は、装置の提供者が予め計測、検討した値に基づいて算出された値でもよく、給水者が給水に適切な時間を推測する周辺環境において計測した値に基づいて算出された値でもよい。また、各指標の点数は、時間帯ごとに絶対評価で行われていると、決定する給水に適切な時間の精度が向上するため好ましい。
【００２３】
演算部１ｅは、給水時間通知装置１全体を制御する役割を担っている。ここでいう制御とは、給水に適切な時間を決定するのに必要なデータの読み出しと書き込みの指示、給水に適切な時間の決定、決定した給水に適切な時間の通知の指示などを含む。この中で、給水に適切な時間の決定は、後述する適切時間決定部１１ｅが行う。このように、本実施形態では、後述する適切時間決定部１１ｅは、演算部１ｅの一部を構成している。具体的には、演算部１ｅは、データの書き込み指示として、給水者情報入力部１ａに入力された時間ごとの給水者の予定の点数を記憶部１ｄに書き込む指示と、植物情報入力部１ｂに入力された植物の識別情報を記憶部１ｄに書き込む指示と、植物情報取得部１ｃによって取得されたデータを記憶部１ｄに書き込む指示を行う。同様に、演算部１ｅは、データの読み出し指示として、植物情報取得部１ｃに対して記憶部１ｄに保存された植物の識別情報を読み出す指示と、後述する適切時間決定部１１ｅに対して記憶部１ｄに保存された給水者の予定の点数、対人給水環境適切度の点数、気象条件の点数、土の乾き具合の点数を読み出す指示を行う。この演算部１ｅとして利用するハードウェアとしては、ＣＰＵやＤＳＰ（Ｄｉｇｉｔａｌ  Ｓｉｇｎａｌ  Ｐｒｏｃｅｓｓｏｒ）などが挙げられる。なお、演算部１ｅは、記憶部１ｄと一体的に構成されていてもよい。
【００２４】
適切時間決定部１１ｅは、演算部１ｅの指示により、記憶部１ｄから読み出した各指標の点数に基づいて、給水に適切な時間を決定する役割を担っている。具体的には、適切時間決定部１１ｅは、給水者の予定と植物情報取得部１ｃによって取得されたデータとに基づいて、給水に適切な時間を決定している。具体的には、適切時間決定部１１ｅは、まず１時間ごとに給水者の予定の点数と、気象条件の点数と、土の乾き具合の点数のそれぞれを重要度に応じて重みづけをし、それらを加算して給水の適切度を点数で算出する。つまり、給水者の予定の点数をＡ、給水者の予定の重要度を表す係数をａ、気象条件の点数をＢ、気象条件の重要度を表す係数をｂ、土の乾き具合の点数をＣ、土の乾き具合の重要度を表す係数をｃとすると、給水の適切度Ｓは、以下の式（１）で表される。
Ｓ＝Ａ×ａ＋Ｂ×ｂ＋Ｃ×ｃ      式（１）
（但し、ａ＋ｂ＋ｃ＝１である。）
適切時間決定部１１ｅは、算出した時間ごとの給水の適切度の点数を比較して、給水に適切な時間を決定する。このとき、適切時間決定部１１ｅが決定する給水に適切な時間として、最も点数の高い時間をＢｅｓｔ、上位２番目から上位４番目までの時間をＢｅｔｔｅｒと判断してもよく、１番点数の高い時間をＢｅｓｔ、所定の閾値を超えた時間をＢｅｔｔｅｒと判断してもよい。そして、適切時間決定部１１ｅが決定した給水に適切な時間を通知部１ｆに渡す。ここで、適切時間決定部１１ｅは、給水者の予定および植物情報取得部１ｃによって取得されたデータに加えて、記憶部１ｄに保存されている対人給水環境適切度も考慮して給水に適切な時間を決定するとよい。この場合、適切時間決定部１１ｅが決定する給水に適切な時間の精度を向上することができる。また、適切時間決定部１１ｅは、給水者が給水不可能である時間を除いて、給水に最適な時間を決定するとよい。例えば、図２に示す例では、適切時間決定部１１ｅは、５−６時、６−７時、１２−１３時、１３−１４時、１９−２０時、２０−２１時の時間帯を除くこととなる。これにより、給水者が給水不可能である時間を除いて、給水に最適な時間が決定されるため、適切時間決定部１１ｅが決定する給水に適切な時間の精度を向上することができる。
【００２５】
通知部１ｆは、適切時間決定部１１ｅが決定した給水に適切な時間を給水者に通知する役割を担っている。本実施形態では、通知部１ｆは、表示部１１ｆを備えている。表示部１１ｆは、給水に適切な時間を表示する機能を有している。ここで、具体的な表示部１１ｆの表示方法について、図３を参照して、詳細に説明する。図３は、表示部が表示する給水に適切な時間の一例を示したイメージ図である。図３では、５時から２４時の間で、１時間ごとに給水に適切な時間か否かを通知するようなイメージとなっている。表示部１１ｆは、図３に示すように、給水に適切な時間を一覧表で表示し、給水者が給水に適切な時間を複数把握できるようにしてもよい。この場合、給水者が給水する時間の選択肢が広がるため、利便性が向上する。あるいは、表示部１１ｆは、図示しないが「給水に適切な時間は午前８時〜９時の間です。」などのように、給水に適切な時間を文字で表示するようにしてもよい。このように、通知部１ｆが表示部１１ｆを備えた場合、給水に適切な時間を表示する機能が給水時間通知装置１と一体化しているため、給水時間通知装置１は、給水者に給水に適切な時間を簡易に通知することができる。
【００２６】
続いて、図４を参照して、本発明の実施形態１に係る給水時間通知装置１の処理動作について説明する。図４は、本発明の実施形態１に係る給水時間通知装置１の処理動作を示すフローチャートである。
【００２７】
まず、給水者情報入力部１ａに、給水者の予定が入力される。（ステップＳ０１）
【００２８】
続いて、植物情報入力部１ｂに、植物の識別情報が入力される。（ステップＳ０２）これらステップＳ０１とステップＳ０２の動作は、給水者が給水時間通知装置１に設けられたタッチパネルを操作することにより行われる。
【００２９】
続いて、適切時間決定部１１ｅが、演算部１ｅの指示により、記憶部１ｄから給水者の予定と植物情報取得部１ｃによって取得されたデータを読み出す。具体的には、適切時間決定部１１ｅは、記憶部１ｄから時間ごとの給水者の予定の点数と、時間ごとの気象条件の点数と、時間ごとの土の乾き具合の点数を読み出す。（ステップＳ０３）
【００３０】
続いて、適切時間決定部１１ｅが、ステップＳ０３で読み出した各指標の点数に基づいて、時間ごとの給水の適切度を算出する。この動作を、給水に適切な時間を決定するのに必要な時間の分だけ繰り返す。（ステップＳ０４）
【００３１】
続いて、適切時間決定部１１ｅが、ステップＳ０４で算出した時間ごとの給水の適切度の点数を比較して、給水に適切な時間を決定する。（ステップＳ０５）
【００３２】
続いて、演算部１ｅが、ステップＳ０５で決定した給水に適切な時間を通知するよう通知部１ｆに指示する。通知部１ｆは、演算部１ｅからの指示を受けて、決定した給水に適切な時間を給水者に通知する。具体的には、通知部１ｆは、演算部１ｅから適切時間決定部１１ｅが決定した給水に適切な時間を受け取って、表示部１１ｆにより給水に適切な時間を表示する。（ステップＳ０６）以上、給水時間通知装置１がステップＳ０１〜ステップＳ０６の処理動作を行うことによって、給水者に、人と植物双方にとって適切な給水時間を通知することができる。
【００３３】
以上のように、本実施形態に係る給水時間通知装置１は、給水者の予定を入力可能な給水者情報入力部１ａと、植物の識別情報を入力可能な植物情報入力部１ｂと、植物情報入力部１ｂに入力された情報を基に、データを取得する植物情報取得部１ｃと、給水者の予定とデータとに基づいて、給水に適切な時間を決定する適切時間決定部１１ｅと、給水に適切な時間を通知する通知部１ｆと、を備えている。そのため、人と植物の双方にとって給水に適切な時間を通知することができる。
【００３４】
（実施形態２）
次に図５を参照して、本発明の実施形態２に係る給水時間通知装置１０の構成について説明する。図５は、本発明の実施形態２に係る給水時間通知装置を示すブロック図である。
【００３５】
給水時間通知装置１０は、実施形態１に係る給水時間通知装置１と同様に、給水者情報入力部１ａと、植物情報入力部１ｂと、植物情報取得部１ｃと、記憶部１ｄと、演算部１ｅと、通知部１ｆと、を備えている。実施形態２に係る給水時間通知装置１０は、通知部１ｆに、表示部１１ｆに代えて通信部１２ｆを備えている点において、実施形態１に係る給水時間通知装置１と相違している。以下、実施形態１と異なる点を中心に説明する。
【００３６】
通信部１２ｆは、ネットワークを介して、多機能携帯電話などと相互に通信可能に構成されている。具体的には、適切時間決定部１１ｅが決定した給水に適切な時間を多機能携帯電話などに送信する役割を担っている。つまり、通信部１２ｆは、給水に適切な時間を他の装置へ送信する機能を有していることとなる。ここで、ネットワークは、インターネット網でもよく、あるいはＬＡＮ（Ｌｏｃａｌ  Ａｒｅａ  Ｎｅｔｗｏｒｋ）等の私設通信網、携帯電話網、電話回線網、ＩＳＤＮ（Ｉｎｔｅｇｒａｔｅｄ  Ｓｅｒｖｉｃｅ  Ｄｉｇｉｔａｌ  Ｎｅｔｗｏｒｋ）、専用線等の公衆通信網であってもよい。
【００３７】
以上のように、本実施形態に係る給水時間通知装置１０は、通知部１ｆが、給水に適切な時間を送信する通信部１２ｆを備えている。そのため、給水時間通知装置１０は、給水者が給水時間通知装置１０から離れた場所にいても、給水に適切な時間を通知することができ、利便性が向上する。例えば、給水者は、ネットワークに接続した多機能携帯電話を持っていれば、家の中のどこにいても、適切な給水の時間の確認が可能になる。
【００３８】
以上、本発明の実施の形態を説明した。実施の形態は例示であり、それらの各構成要素や各処理プロセスの組合せにいろいろな変形例が可能なこと、またそうした変形例も本発明の範囲にあることは当業者に理解されるところである。したがって、本明細書での記述及び図面は限定的ではなく例証的に扱われるべきものである。
【００３９】
例えば、実施形態２に係る給水時間通知装置１０に実施形態１に係る給水時間通知装置１の表示部１１ｆをさらに備える構成としてもよい。このように構成することにより、機能携帯電話でも、給水時間通知装置本体でも、給水に適切な時間が確認できるようになり、それぞれの機器が、それぞれの機器の特長に応じた役割を持つことが可能になる。そのため、給水に適切な時間の通知を多様な方法で実現することができるようになり、給水時間通知装置の利便性が向上する。例えば、固定して置いておく給水時間通知装置の表示部を大画面にして可視性を向上する一方、常に持ち歩く多機能携帯電話には給水時間アラーム機能を備えて給水に適切な時間を忘れないように指示するようにしてもよい。
【符号の説明】
【００４０】
１，１０…給水時間通知装置、１ａ…給水者情報入力部、１ｂ…植物情報入力部、１ｃ…植物情報取得部、１ｄ…記憶部、１ｅ…演算部、１ｆ…通知部、１１ｅ…適切時間決定部、１１ｆ…表示部、１２ｆ…通信部。
【図１】
2016082892.tif 000003
【図２】
2016082892.tif 000004
【図３】
2016082892.tif 000005
【図４】
2016082892.tif 000006
【図５】
2016082892.tif 000007